【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
増幅部１２と検出器制御部１４とを具備する、フィードフォワード増幅器１０であって、
増幅部１２は、主増幅器２４とフィードフォワード信号経路とを有する主信号経路を含み、
検出器制御部１４は、相互変調検出器／プロセッサ５０と、信号電力検出器／プロセッサ４８とを含み、
フィードフォワード増幅器１０の出力１８における相互変調を最小にするように、相互変調検出器／プロセッサ５０がフィードフォワード信号の利得及び位相を制御するために、相互変調検出器／プロセッサ５０の入力が主信号経路に接続され、出力がフィードフォワード信号経路に接続され、
主増幅器２４内で増幅された主信号の利得及び位相を制御するように、主増幅器２４の信号経路に信号電力検出器／プロセッサ４８の出力が接続され、
検出器制御部１４は、さらに、スイッチ４６を含み、スイッチ４６は、フィードフォワード増幅器１０の起動時に、フィードフォワード信号経路内の信号電力を最小にするように、信号電力検出器／プロセッサ４８が主信号の利得及び位相を制御するために、信号電力検出器／プロセッサ４８の入力をフィードフォワード信号経路に接続し、その後、フィードフォワード増幅器１０の出力１８における相互変調を最小にするように、信号電力検出器／プロセッサ４８が主信号の利得及び位相を制御するために、信号電力検出器／プロセッサ４８の入力をフィードフォワード信号経路から切断し、信号電力検出器／プロセッサ４８の入力を主信号経路に接続する、ことを特徴とする、フィードフォワード増幅器。
【請求項２】
フィードフォワード増幅器であって、主信号経路が、
入力ポート１６と、
出力ポート１８と、
第１の主経路スプリッタ２０であって、入力信号が入力ポート１６に適用された時に入力信号が第１の主経路スプリッタ２０によって主信号とフィードフォワード信号とに分割されるように、入力が入力ポート１６に接続された、第１の主経路スプリッタ２０と、
主信号を受信するために、入力が第１の主経路スプリッタ２０の第１の出力に接続された、主信号経路利得及び位相調整器２２であって、タップ上の電圧レベルが主信号の利得と位相とを制御するように構成された、利得制御入力タップＴ1と位相制御入力タップＴ2とを有する、主信号経路利得及び位相調整器２２と、
入力が主信号経路利得及び位相調整器２２の出力に接続された、主増幅器２４と、
入力が主増幅器２４の出力に接続された、第２の主経路スプリッタ２６と、
入力が第２の主経路スプリッタ２６の第１の出力に接続された、主信号経路遅延エレメント２８と、
第１の入力が主信号経路遅延エレメント２８の出力に接続された、第１の主経路カプラ３０と、
入力が第１の主経路カプラ３０の出力に接続され、第１の出力が出力ポート１８に接続され、第２の出力が相互変調受信機の入力に接続された、第３の主経路スプリッタ３２と、を含み、
フィードフォワード信号経路は、
フィードフォワード信号を受信するように、入力が第１の主経路スプリッタ２０の第２の出力に接続された、フィードフォワード信号経路遅延エレメント３４であって、主増幅器２４によって引き起こされた主信号内の遅延に略適合するように選択された遅延がフィードフォワード信号経路遅延エレメント３４によって負荷される、フィードフォワード信号経路遅延エレメント３４と、
第１の入力がフィードフォワード信号経路遅延エレメント３４の出力に接続され、第２の入力が、第２の主経路スプリッタ２６の第２の出力に接続された減衰器４３に接続された、フィードフォワード経路カプラ３６であって、フイ―ドフォワード経路カプラ３６に提供された主信号の無ひずみ部分がフィードフォワード信号によって略取り消されるように減衰が選択される、フィードフォワード経路カプラ３６と、
入力がフィードフォワード経路カプラ３６の出力に接続された、フィードフォワード経路スプリッタ３８と、
入力がフィードフォワード経路スプリッタ３８の第１の出力に接続され、利得制御入力タップＴ3と位相制御入力タップＴ4とを有する、フィードフォワード信号経路利得及び位相調整器４０と、
入力がフィードフォワード信号経路利得及び位相調整器４０の出力に接続され、出力が第１の主経路カプラ３０の第２の入力に接続された、補正増幅器４２であって、補正増幅器４２内の遅延が主信号経路エレメントによって加えられた遅延に略等しい、補正増幅器４２と、を含み、
検出器制御部１４は、
第１の行程が相互変調受信機の出力に接続され、第２の行程がフィードフォワード信号経路スプリッタの第２の出力に接続された、ＳＰＤＴスイッチ４６と、
入力がＳＰＤＴスイッチ４６の極に接続された、信号電力検出器／プロセッサ４８であって、入力に示された信号を最小にするために、利得制御入力タップＴ1と位相制御入力タップＴ2とをどのように導くかを示す入力に示された信号からデータを引き出して処理するように構成された、信号電力検出器／プロセッサ４８と、
入力が信号電力検出器／プロセッサ４８の第１の出力に接続された、信号電力利得コントローラ５２であって、信号電力検出器／プロセッサ４８の入力をフィードフォワード経路スプリッタ３８の第２の出力に接続するためにＳＰＤＴスイッチ４６が設定されている時のフィードフォワード経路スプリッタ３８における信号電力を最小にして、信号電力検出器／プロセッサ４８の入力を相互変調受信器４４の出力に接続するためにＳＰＤＴスイッチ４６が設定されている時の相互変調受信器４４によって受け取られた相互変調を最小にするために、信号電力検出器／プロセッサ４８によって提供されたデータに対応して利得制御入力タップＴ1を導くように構成された、信号電力利得コントローラ５２と、
入力が信号電力検出器／プロセッサ４８の第２の出力に接続された、信号電力位相コントローラ５４であって、信号電力検出器／プロセッサ４８の入力をフィードフォワード経路スプリッタ３８の第２の出力に接続するためにＳＰＤＴスイッチ４６が設定されている時のフィードフォワード経路スプリッタ３８における信号電力を最小にして、信号電力検出器／プロセッサ４８の入力を相互変調受信器４４の出力に接続するためにＳＰＤＴスイッチ４６が設定されている時の相互変調受信器４４によって受け取られた相互変調を最小にするために、信号電力検出器／プロセッサ４８によって提供されたデータに対応して位相制御入力タップＴ2を導くように構成された、信号電力位相コントローラ５４と、
入力が相互変調受信器４４の出力に接続された、相互変調検出器／プロセッサ５０であって、入力に示された信号を最小にするために、利得制御入力タップＴ3と位相制御入力タップＴ4とをどのように導くかを示す入力に示された信号からのデータを引き出して処理するように構成された、相互変調検出器／プロセッサ５０と、
入力が相互変調検出器／プロセッサ５０の第１の出力に接続された、相互変調利得コントローラ５６であって、相互変調受信器４４によって受け取られた相互変調を最小にするために、相互変調検出器／プロセッサ５０によって提供されたデータに対応して、利得制御入力タップＴ3を導く、相互変調利得コントローラ５６と、
入力が相互変調検出器／プロセッサ５０の第２の出力に接続された、相互変調位相コントローラ５８であって、相互変調受信器４４によって受け取られた相互変調を最小にするために、相互変調検出器／プロセッサ５０によって提供されたデータに対応して、位相制御入力タップＴ4を導く、相互変調位相コントローラ５８と、を含み、
フィードフォワード増幅器１０の起動時に、フィードフォワード経路内の総パワーと相互変調受信器４４によって受け取られた相互変調とが最小にされるまで、フイ―ドフォワード経路スプリッタ３８を信号電力検出器／プロセッサ４８に接続するように、ＳＰＤＴスイッチ４６が設定され、次に、相互変調受信器４４を信号電力検出器／プロセッサ４８に接続するように設定される、請求項１に記載のフィードフォワード増幅器。
【請求項３】
信号取消ループと相互変調取消ループとを有するフィードフォワード増幅器の電力出力を増加するための方法であって、
起動時に、フィードフォワード経路内の信号電力を最小にするように信号取消ループを平衡させるとともに、フィードアップフォワード増幅器の出力における相互変調を最小にするように相互変調取消ループを平衡させることと、
次に、フィードフォワード増幅器の出力における相互変調を最小にするように、信号取消ループと相互変調取消ループとを平衡させることと、を備えた、
方法。
【請求項４】
信号変調取消ループが、第１の利得及び位相調整器と、主信号経路の一部を形成する主増幅器２４と、フィードフォワード信号を提供するためのフィードフォワード信号経路出力と、を具備し、相互変調取消ループがフィードフォワード信号経路出力に接続され、第２の利得及び位相調整器と、補正増幅器４２と、補正増幅器４２の出力を主増幅器２４の下流の主信号経路に結合するための補正カプラと、を具備する、方法であって、
起動時に、フィードフォワード信号経路出力における信号電力を最小にするように第１の利得及び位相調整器が導かれ、カプラの下流の相互変調を最小にするように第２の利得及び位相調整器が導かれることと、
次に、フィードフォワード信号経路出力における信号電力と補正カプラの下流の相互変調とが最小に達する時に、補正カプラの下流の相互変調を最小にするように、両方の利得及び位相調整器が導かれることと、を具備した、
請求項３に記載の方法。